(57)【要約】【課題】屋内居室において電圧２００Ｖ用を含むコンセントの増減対応工事が容易にできる屋内配線システムを提供する。【解決手段】分岐幹線ケーブル２ａと接続する三相４線式電線を、任意の位置より給電が可能なように収納して居室に設けられた給電用バスダクト３と、この給電用バスダクト３と任意の位置で装着可能であり三相４線式電線の４線のうちいずれかの線と組み合わせて結線することで電圧を１００Ｖ又は２００Ｖのいずれかを選択して給電が可能なプラグ４，５と、このプラグ４，５と接続し前記居室に配線された配線ケーブル６，７と、この配線ケーブル６，７と接続し前記居室に配設されたコンセントと、を備えたことを特徴とする。【選択図】図１
2008219970.tif 000002
【特許請求の範囲】
【請求項１】
分岐幹線ケーブルと接続する三相４線式電線を、任意の位置より給電が可能なように収納して居室に設けられた給電用バスダクトと、
この給電用バスダクトと任意の位置で装着可能であり前記三相４線式電線の４線のうちいずれかの線と組み合わせて結線することで電圧を１００Ｖ又は２００Ｖのいずれかを選択して給電が可能なプラグと、
このプラグと接続し前記居室に配線された配線ケーブルと、
この配線ケーブルと接続し前記居室に配設されたコンセントと、
を備えたことを特徴とする屋内配線システム。
【請求項２】
前記三相４線式電線の４線は、それぞれの間隔が所定寸法離れた状態で前記給電用バスダクトの内部に収納され、
前記プラグは、前記給電用バスダクトに装着される際、前記給電用バスダクトの内部に挿入する挿入部を有し、
この挿入部には前記三相４線式電線の４線のうちいずれかの３線に接続して１００Ｖ又は２００Ｖの給電が可能なように配された端子を有することを特徴とする請求項１に記載の屋内配線システム。
【請求項３】
前記プラグは、過電流保護機能を有することを特徴とする請求項１または２に記載の屋内配線システム。
【請求項４】
前記配線ケーブルは、前記プラグと前記コンセントとを接続する経路に過電流保護機能付きスイッチを設けたことを特徴とする請求項１から３の何れかに記載の屋内配線システム。
【発明の詳細な説明】
【技術分野】
【０００１】
本発明は、分電盤から配線された幹線ケーブルより分岐し居室のコンセントに給電する屋内配線システムに係わり、特に居室毎の負荷容量に対応して電圧を１００Ｖ又は２００Ｖに変更して供給可能なバスダクトを用いた屋内配線システムに関する。
【背景技術】
【０００２】
近年、居室において１００Ｖ機器の使用に加え、２００Ｖ機器を併用する機会が増加してきている。そこで、従来は、屋外の引き込み線と接続する分電盤から電圧１００Ｖ専用の電線（幹線ケーブル）とは別回線で、電圧２００Ｖ専用の電線（幹線ケーブル）を居室のコンセントまで配線していた。例えば、特許文献１には、分電盤から配線された１００Ｖの分岐回路とは別に、２００Ｖ専用の分岐回路を居室まで配線した電線をジョイントボックスによって分岐させる屋内配線システムが開示されている。
【特許文献１】特許第３４５６１４２号公報
【発明の開示】
【発明が解決しようとする課題】
【０００３】
ところで、屋内配線を電圧１００Ｖと電圧２００Ｖ別々に専用の電線（幹線ケーブル）で行うと、１つの居室に２種類の専用電線を配線することとなり、作業工数が多くなる。そこで、当初電圧２００Ｖ機器を使用しない居室には、電圧１００Ｖの専用電線のみを配線し、電圧２００Ｖの専用電線を配線しないことが多い。しかし、後で２００Ｖ機器を併用する必要が生じた場合に電圧２００Ｖの専用電線を配線すると、該当する居室の電気工事だけでは収まらずに分電盤、幹線ケーブル（電圧２００Ｖの専用電線）の配線を含む大規模工事となってしまう。
【０００４】
また、従来のように、分電盤から電圧１００Ｖと電圧２００Ｖを別々に専用の電線（幹線ケーブル）で配線すると、居室のコンセントの数を増減したい場合も、該当する居室の電気工事だけでは収まらずに分電盤、幹線ケーブルの配線を含む増減対応工事が大規模工事となってしまう。
【０００５】
本発明は、このような点に鑑みてなされたものであり、居室において電圧２００Ｖ用を含むコンセントの増減対応工事が容易にできる屋内配線システムを提供することを課題とする。
【課題を解決するための手段】
【０００６】
前記課題を解決するために、本発明では、以下の手段を採用した。
すなわち、本発明の屋内配線システムは、分岐幹線ケーブルと接続する三相４線式電線を、任意の位置より給電が可能なように収納して居室に設けられた給電用バスダクトと、この給電用バスダクトと任意の位置で装着可能であり前記三相４線式電線の４線のうちいずれかの線と組み合わせて結線することで電圧を１００Ｖ又は２００Ｖのいずれかを選択して給電が可能なプラグと、このプラグと接続し前記居室に配線された配線ケーブルと、この配線ケーブルと接続し前記居室に配設されたコンセントと、を備えたことを特徴とする。
【０００７】
なお、本発明の屋内配線システムにおいて、前記三相４線式電線の４線は、それぞれの間隔が所定寸法離れた状態で前記給電用バスダクトの内部に収納され、前記プラグは、前記給電用バスダクトに装着される際、前記給電用バスダクトの内部に挿入する挿入部を有し、この挿入部には前記三相４線式電線の４線のうちいずれかの３線に接続して１００Ｖ
又は２００Ｖの給電が可能なように配された端子を有する構成としてもよい。
【０００８】
この構成によれば、居室において１００Ｖ機器と２００Ｖ機器を併用する場合、給電用バスダクトに電圧１００Ｖ用のプラグと、電圧２００Ｖ用のプラグを装着しこれらプラグからコンセントまで配線ケーブルを配線するといった簡単な工事だけで１００Ｖ機器と２００Ｖ機器の併用が可能となる。また、電圧１００Ｖ用又は電圧２００Ｖ用のコンセントを増設したい場合も、給電用バスダクトに電圧１００Ｖ用又は２００Ｖ用のプラグを装着し、このプラグからコンセントまで配線ケーブルを配線するといった簡単な工事だけで可能となる。更に、不要となった電圧１００Ｖ用又は２００Ｖ用のコンセントを取り外す場合も、給電用バスダクトから電圧１００Ｖ用又は２００Ｖ用のプラグを取り外し、このプラグからコンセントまでの配線ケーブルを取り外すといった簡単な工事だけで可能となる。
【０００９】
また、本発明の屋内配線システムにおいて、前記プラグは、過電流保護機能を有する構成としてもよい。この構成によれば、中性線（あるいは接地配線）欠相時に回路を遮断することができる。なお、過電流保護機能を実現するのは例えば、ブレーカであり、回路遮断後は安全を確認の上、回路復帰処理を行う。
【００１０】
更に、本発明の屋内配線システムにおいて、前記配線ケーブルは、前記プラグと前記コンセントとを接続する経路において過電流保護機能付きスイッチを設けてもよい。この構成によれば、居室において、例えば、壁の低い位置に過電流保護機能付きスイッチ（ブレーカ）を設けることで、住人による回路復帰処理後のスイッチ操作が容易にできる。また、過電流保護機能付きスイッチ（ブレーカ）を天井側に設けた給電用バスダクトに近接して設置する必要がないので、給電用バスダクトを覆う二重天井を設置することができる。なお、この場合、給電用バスダクトを点検する点検口を二重天井に設けることが望ましい。
【発明の効果】
【００１１】
本発明によれば、居室において電圧２００Ｖ用を含むコンセントの増減対応工事が容易にできる屋内配線システムを提供することができる。
【発明を実施するための最良の形態】
【００１２】
本発明の最良の実施形態を図面に基づいて説明する。なお、この実施形態の屋内配線システムは、主要な骨組の部材に木材を使用し、かつ主柱、桁・梁を構成要素とする木造軸組工法の建築物に適用した場合として説明する。
【００１３】
［屋内配線システムの説明］
本実施形態に係る屋内配線システムは、分電盤１より分岐して居室に給電する分岐幹線ケーブル２ａ，２ｂと、居室（図２参照）の天井側に設けられた給電用バスダクト３を備える。この給電用バスダクト３内には、分岐幹線ケーブル２ａ，２ｂと接続する三相４線式電線を任意の位置より給電が可能なように収納している。さらに、給電用バスダクト３に装着することにより電圧１００Ｖの給電が可能なプラグ４、配線ケーブル６、及び居室の壁に配設されたコンセント８を備えている。また、給電用バスダクト３に装着することにより電圧２００Ｖの給電が可能なプラグ５、配線ケーブル７、及び居室の壁に配設されたコンセント９を備えている。
【００１４】
プラグ４，５は、給電用バスダクト３と任意の位置で装着可能であり前記三相４線式電線の４線のうちいずれかの線と組み合わせて結線することで電圧を１００Ｖ又は２００Ｖのいずれかを選択して給電が可能である。
【００１５】
配線ケーブル６，７は、プラグ４，５と接続されて居室の壁に沿って配線される。また、コンセント８，９は配線ケーブル６，７と接続され、これらの配線ケーブル６，７は、居室の壁１０の内側に隠蔽配線されている。
【００１６】
分電盤１は、屋外の引き込み線と接続する主幹ブレーカ１１と、主幹ブレーカ１１と結線し電圧１００Ｖの負荷がかかる複数の分岐ブレーカ１２（図１では１１カ所）と、主幹ブレーカ１１と結線し電圧２００Ｖの負荷がかかる分岐開閉器１３とを備えている。そして、各分岐ブレーカ１２は給電用バスダクト３を配置する居室以外の居室のコンセントと分岐幹線ケーブル２ｂを介して接続している。また、分岐開閉器１３は、分岐幹線ケーブル２ａを介して給電用バスダクト３と接続している。
【００１７】
給電用バスダクト３は、図２に示すように、居室の天井側に設けられている。また、給電用バスダクト３は、図３に示すように、導体を絶縁物で被覆して鋼板製函体に収納したもので、断面形状が略コの字型のいわゆる絶縁バスダクトである。この給電用バスダクト３には、三相４線式電線がバスダクト内の長手方向にそれぞれの間隔が所定寸法離れた状態で配線されている。この三相４線式電線は、接地された接地配線Ａ，電力線Ｂ，Ｃ，Ｄ（なお、電力線Ｃは中性線）と、を備えている。なお、電力線Ｂ，Ｄ同士が後述するプラグ５の挿入により係合して結線すると２００Ｖの負荷に供給可能となり、電力線Ｂ，Ｄのいずれかと電力線Ｃ（中性線）が後述するプラグ４の挿入により係合して結線すると１００Ｖの負荷に供給可能となる。
【００１８】
プラグ４は、電圧１００Ｖ用のプラグであり、図４に示すように、給電用バスダクト３の略コの字型の溝に挿入可能な挿入部４１，４３と、これらの挿入部４１，４３より幅広のプラグ本体４２，４４とを備えている。また、プラグ５は、電圧２００Ｖ用のプラグであり、給電用バスダクト３の略コの字型の溝に挿入可能な挿入部５１と、これらの挿入部５１より幅広のプラグ本体５２とを備えている。
【００１９】
電圧１００Ｖ用の挿入部４１は、図４（ａ）に示すように、給電用バスダクト３の接地配線Ａ，電力線Ｂ，Ｃに接続して１００Ｖの給電が可能なように配された端子ａ，ｂ，ｃを有している。また、電圧１００Ｖ用の挿入部４３は、図４（ｂ）に示すように、給電用バスダクト３の接地配線Ａ，電力線Ｃ，Ｄ（図３）に接続して１００Ｖの給電が可能なように配された端子ａ，ｃ，ｄを有している。さらに、電圧２００Ｖ用の挿入部５１は、図４（ｃ）に示すように、給電用バスダクト３の接地配線Ａ，電力線Ｂ，Ｄ（図３）に接続して２００Ｖの給電が可能なように配された端子ａ，ｂ，ｄを有している。
【００２０】
それぞれのプラグ本体４２，４４，５２は、ブレーカ（過電流保護機能）を有し、中性線（あるいは接地配線）欠相時に回路を遮断することができる。なお、回路遮断後は安全を確認の上、ブレーカの回路復帰処理を行う。
【００２１】
［屋内配線システムの配線工事手順の説明］
次に、本実施の形態の配線工事手順を説明する。ここでは、既に屋外の引き込み線と接続する分電盤１が設置され、この分電盤１より分岐して居室に給電する分岐幹線ケーブル２ａ，２ｂおよび給電用バスダクト３が居室の天井側に配線されているものとする。
【００２２】
まず、図５に示すように、給電用バスダクト３（絶縁バスダクト）のコの字型の溝にプラグ４（５）の挿入部４１（４３，５１）を取り付ける。次に、コンセント８（９）を設置したい場所の壁（石膏ボード）１０に対してコンセント８（９）を設置する穴を切り欠く。次に、プラグ４（５）からコンセント設置場所までの配線工事を行う。たとえば、配線ケーブル６（７）をモール等の線ぴを用いて配線する。次に、コンセント８（９）の接続工事を行い、コンセント８（９）をねじで壁１０に固定する。
【００２３】
この実施の形態によれば、電圧２００Ｖを居室で使用できるように改修する場合（電圧２００Ｖ用のコンセント９を増設する場合）、改修する部屋と分電盤１までの幹線ケーブルや部屋を工事することなく、給電用バスダクト３に電圧２００Ｖ対応のプラグ５を装着（連結）し、配線ケーブル工事とコンセント設置工事をすることで、電圧２００Ｖ用のコンセント９の増設対応が容易にできる。また、電圧１００Ｖ用のコンセント８を増設する場合も、改修する部屋と分電盤１までの幹線ケーブルや部屋を工事することなく、給電用バスダクト３に電圧１００Ｖ対応のプラグ４を装着（連結）し、配線ケーブル工事とコンセント設置工事をすることで、電圧１００Ｖ用のコンセント８の増設対応が容易にできる。
【００２４】
また、この実施の形態のように、居室が主要な骨組の部材に木材を使用し、かつ主柱、桁・梁を構成要素とする木造軸組工法の建築物であれば、屋内居室の壁１０が構成要素を工事することなく張り替え自在であるので、例えば、石膏ボード等の壁１０を取り外して配線ケーブル工事を行うとともに、コンセント８（９）を設置したい場所の壁１０を、コンセント８（９）の形状に切り欠いて設置するのみ、といった簡単な工事でコンセントの増設工事を行うことができる。
【００２５】
［別の実施の形態］
次に、上記の実施の形態とは異なる屋内配線システムを説明する。なお、既に屋外の引き込み線と接続する分電盤１が設置され、分電盤１より分岐して屋内居室に給電する分岐幹線ケーブル２ａ，２ｂおよび給電用バスダクト３が配線されているものとする。
【００２６】
この別の実施の形態において、図６に示すように、配線ケーブル６ａ（７ａ）は、プラグ（分岐用プラグ）４ａ（５ａ）とコンセント８ａ（９ａ）とを接続する経路において過電流保護機能付きスイッチ２０を設けている。この別の実施の形態においてプラグ（分岐用プラグ）４ａ（５ａ）はプラグ本体にブレーカ（過電流保護機能）を搭載していない。なお、前述の実施の形態のプラグ４（５）との違いはブレーカ（過電流保護機能）の有無のみであり、その他の機能はプラグ４（５）と同様である。そして、この過電流保護機能付きスイッチ２０は屋内居室の壁１０の外側に露出した状態で設置されている。過電流保護機能付きスイッチ２０はブレーカ（過電流保護機能）を有し、中性線（あるいは接地配線）欠相時に回路を遮断することができ、回路遮断後は安全を確認の上、スイッチを操作することによりブレーカの回路復帰処理を行うことができる。なお、屋内居室が木造軸組工法の建築物であれば、壁１０を取り外して配線ケーブル工事を行うとともに、コンセント８ａ（９ａ）や過電流保護機能付きスイッチ２０を設置したい場所の壁（例えば、石膏ボード）１０をそれぞれの形状だけ切り欠いて設置するだけといった簡単な工事でコンセントの増設工事を行うことができる。
【００２７】
この別の実施の形態では、給電用バスダクト３を覆う二重天井２１が設置されている。また、二重天井２１には給電用バスダクト３を点検するための点検口２２が設置されている。
【００２８】
この別の実施の形態によれば、居室において壁１０の低い位置に過電流保護機能付きスイッチ（ブレーカ）２０を設けることができ、住人によるスイッチ操作が容易にできる。また、ブレーカを天井側に設ける必要がないので、給電用バスダクト３を覆う二重天井を設置することができ、室内の美観を図ることができる。
【００２９】
なお、前述の実施の形態および別の実施の形態では、屋内居室においてコンセントを増設する場合で説明したが、コンセントを取り外す場合も、給電用バスダクト３からコンセントまでの配線ケーブル工事を行うだけといった簡単な工事でコンセントの取り外し工事
を行うことができる。
【図面の簡単な説明】
【００３０】
【図１】本発明の実施形態における屋内配線システムの概略ブロック図である。
【図２】本発明の実施形態における屋内配線システムを適用した居室の斜視図である。
【図３】給電用バスダクトの斜視図である。
【図４】プラグの詳細図である。
【図５】本発明の実施形態における屋内配線システムの工事手順の説明図である。
【図６】本発明の別の実施形態における屋内配線システムの工事手順の説明図である。
【符号の説明】
【００３１】
１    分電盤
２ａ，２ｂ    分岐幹線ケーブル
３    給電用バスダクト
４，５    プラグ
６，７    配線ケーブル
８，９    コンセント
１０  壁
１１  主幹ブレーカ
１２  分岐ブレーカ
１３  分岐開閉器
２０  過電流保護機能付きスイッチ
４１，４３，５１    挿入部
４２，４４，５２    プラグ本体
【図１】
2008219970.tif 000003
【図２】
2008219970.tif 000004
【図３】
2008219970.tif 000005
【図４】
2008219970.tif 000006
【図５】
2008219970.tif 000007
【図６】
2008219970.tif 000008